(57)【要約】【課題】自動的に昇降するとともに昇降緩衝効果を有する自動散水装置の昇降緩衝構造を提供する。【解決手段】自動散水装置の昇降緩衝構造は、内導管１０、散水ヘッド２０、連結スリーブ３０、位置決め部材４０、外導管５０及び給水座６０を備える。内導管１０は、一端に接合部１１が形成され、接合部１１と隣り合う箇所に雄ねじ部１２が形成され、他端に固定部１３が形成される。散水ヘッド２０は、内導管１０の接合部１１に接続され、水が供給されると自動的に旋回して散水を行う。連結スリーブ３０は、固定部１３の端部を介して内導管１０に嵌合され、連結スリーブ３０の内部には、環状で内方に突設されたストップリング３１が配置される。連結スリーブ３０の一端に設けられた開口には、雌ねじ部３２が形成される。雌ねじ部３２には、圧縮バネ３３が内設される。【選択図】図２
0003184532.tif 000002
【実用新案登録請求の範囲】
【請求項１】
内導管、散水ヘッド、連結スリーブ、位置決め部材、外導管及び給水座を備えた自動散水装置の昇降緩衝構造であって、
内導管は、一端に接合部が形成され、接合部と隣り合う箇所に雄ねじ部が形成され、他端に固定部が形成され、
散水ヘッドは、内導管の接合部に接続され、水が供給されると自動的に旋回して散水を行い、
連結スリーブは、固定部の端部を介して内導管に嵌合され、連結スリーブの内部には、環状で内方に突設されたストップリングが配置され、連結スリーブの一端に設けられた開口には、雌ねじ部が形成され、雌ねじ部には、圧縮バネが内設され、圧縮バネは、ストップリングと接合部との間に当接され、雌ねじ部は、雄ねじ部に螺着され、連結スリーブは、他端の開口に形成された連結部を有し、
位置決め部材は、内導管の固定部に取り付けられ、内導管に連通する貫通孔を有し、位置決め部材の外径は、ストップリングの内径より大きいものであり、
外導管は、一端に形成された螺着部と、他端に形成された接続部とを有し、外導管は、内導管に嵌合され、接続部が連結スリーブの連結部に螺着され、位置決め部材がストップリングにより止められ、内導管及び外導管の位置を拘束し、
給水座に開設された螺着孔は、外導管の螺着部を接続するために用い、給水座に形成された内導管及び外導管と散水ヘッドとを直立させることを特徴とする自動散水装置の昇降緩衝構造。
【請求項２】
雌ねじ部及び雄ねじ部の螺着過程において、圧縮バネにより内導管の接合部に掻き傷が生じないように、雌ねじ部及び雄ねじ部のねじ方向は、圧縮バネの螺旋方向と反対であることを特徴とする請求項１に記載の自動散水装置の昇降緩衝構造。
【請求項３】
散水ヘッドのヘッド部には、外方へ延びる複数の散水杆が延設され、
散水杆は、くの字形を呈し、内側及び末端に噴水孔が形成され、噴水孔は、噴水角度を有してヘッド部が自転することを特徴とする請求項１に記載の自動散水装置の昇降緩衝構造。
【請求項４】
内導管の接合部内縁には、ねじ部が形成され、このねじ部に散水ヘッドのねじ部が接続され、接合部と散水ヘッドとの間に防漏パッキンが挟設されることを特徴とする請求項１に記載の自動散水装置の昇降緩衝構造。
【請求項５】
位置決め部材には、拡大状のストッパ部が形成され、
ストッパ部は、内導管の軸方向で防水面が形成され、防水面により水流を止めるとともに、内導管により外導管を自動的に外方へ押すことを特徴とする請求項１に記載の自動散水装置の昇降緩衝構造。
【請求項６】
位置決め部材が弾性材料からなり、ストッパ部が外導管の内壁に当接され、外導管と内導管との間の防漏効果を得ることを特徴とする請求項５に記載の自動散水装置の昇降緩衝構造。
【請求項７】
外導管の螺着部には、六角ナットが配置され、
六角ナットは、螺着する際の押点として用いられることを特徴とする請求項１に記載の自動散水装置の昇降緩衝構造。
【請求項８】
給水座には、螺着孔に連通した給水管が延設されるとともに、給水管の対称端に回転つまみが結合されていることを特徴とする請求項１に記載の自動散水装置の昇降緩衝構造。
【請求項９】
外導管の螺着部と給水座の螺着孔との間には、防水パッキンが挟設されていることを特徴とする請求項１に記載の自動散水装置の昇降緩衝構造。
【請求項１０】
前記給水座には、螺着孔と同軸で縦杆体が延設され、縦杆体を地面へ挿入して給水座を立設させることを特徴とする請求項１に記載の自動散水装置の昇降緩衝構造。
【考案の詳細な説明】
【技術分野】
【０００１】
本考案は、散水装置構造に関するものであり、更に詳しくは、自動的に昇降するとともに昇降緩衝効果を有する自動散水装置の昇降緩衝構造に関するものである。
【背景技術】
【０００２】
庭の木や草花などの植物に毎日給水するためには、多くの時間及び体力が必要であり、この問題を解決するために散水装置が開発されている。従来の散水装置は、地面で支えるためのフレームを有することが一般的である。フレームは、一端にホースが接続されて他端に散水ヘッドが接続され、散水ヘッドが旋回すると、フレームの限定範囲内で散水効果を得ることができるように構成されている。
しかし、上述の従来技術には欠点があることが容易に分かる。その主な欠点は以下の通りである。
【０００３】
すなわち、散水装置が狭い範囲でしか散水することができない上、使用の必要に応じて散水範囲を調整することもできず、散水面積が大きい場合、散水装置を多く使用したり、散水装置を頻繁に移動したりしなければならなかったため、使用が容易でなかった点にある。
【０００４】
かかる状況下において、特開２００２−２７８５１号公報（以下、「特許文献１」という。）には、自然環境に対応した散水動作が可能な自動散水装置が記載されている。しかし、特許文献１には、散水ヘッドの昇降構造については開示がない。
【特許文献１】特開２００２−２７８５１号公報
【考案の概要】
【考案が解決しようとする課題】
【０００５】
本考案の第１の目的は、内導管が外導管内に挿設され、内導管の固定部が位置決め部材に結合され、位置決め部材の防水面に水圧が加わると、内導管が外導管に沿って外方へ伸びて散水高さを増大させて散水範囲を広げることができる上、内導管を自動的に伸ばすことができ、利便性が高い自動散水装置の昇降緩衝構造を提供することにある。
【０００６】
本考案の第２の目的は、内導管に雄ねじ部を形成し、連結スリーブに雌ねじ部を形成し、雌ねじ部及び雄ねじ部のねじ方向は、圧縮バネの螺旋方向と反対であり、接合部が圧縮バネの螺旋方向で旋回するため、圧縮バネが内導管の接合部に掻き傷を生じさせることを防いで耐久性が高い自動散水装置の昇降緩衝構造を提供することにある。
【０００７】
本考案の第３の目的は、連結スリーブの雌ねじ部に圧縮ねじが内設され、圧縮ねじの一端がストップリングに当接され、内導管が散水ヘッドの重量を受けて外導管内に直接挿入され、内導管の接合部が連結スリーブ内に収納された圧縮バネに当接され、これにより内導管が落下する際に生じる衝撃を低減させ、内導管が当たって損壊したり、押し潰されたりすることを防ぐ自動散水装置の昇降緩衝構造を提供することにある。
【課題を解決するための手段】
【０００８】
上記課題を解決するために、本考案によれば、内導管、散水ヘッド、連結スリーブ、位置決め部材、外導管及び給水座を備えた自動散水装置の昇降緩衝構造であって、
内導管は、一端に接合部が形成され、接合部と隣り合う箇所に雄ねじ部が形成され、他端に固定部が形成され、
散水ヘッドは、内導管の接合部に接続され、水が供給されると自動的に旋回して散水を行い、
連結スリーブは、固定部の端部を介して内導管に嵌合され、
連結スリーブの内部には、環状で内方に突設されたストップリングが配置され、連結スリーブの一端に設けられた開口には、雌ねじ部が形成され、雌ねじ部には、圧縮バネが内設され、圧縮バネは、ストップリングと接合部との間に当接され、雌ねじ部は、雄ねじ部に螺着され、連結スリーブは、他端の開口に形成された連結部を有し、位置決め部材は、内導管の固定部に取り付けられ、内導管に連通する貫通孔を有し、
位置決め部材の外径は、ストップリングの内径より大きく、外導管は、一端に形成された螺着部と、他端に形成された接続部と、を有し、外導管は、内導管に嵌合され、接続部が連結スリーブの連結部に螺着され、位置決め部材がストップリングにより止められ、内導管及び外導管の位置を拘束し、給水座に開設された螺着孔は、外導管の螺着部を接続するために用い、
給水座に形成された内導管及び外導管と散水ヘッドとを直立させることを特徴とする自動散水装置の昇降緩衝構造が提供される。
雌ねじ部及び雄ねじ部の螺着過程において、圧縮バネにより内導管の接合部に掻き傷が生じないように、雌ねじ部及び雄ねじ部のねじ方向は、圧縮バネの螺旋方向と反対であることが好ましい。
【０００９】
散水ヘッドのヘッド部には、外方へ延びる複数の散水杆が延設され、散水杆は、くの字形を呈し、内側及び末端に噴水孔が形成され、噴水孔は、噴水角度を有してヘッド部が自転することが好ましい。
内導管の接合部内縁には、ねじ部が形成され、このねじ部に散水ヘッドのねじ部が接続され、接合部と散水ヘッドとの間に防漏パッキンが挟設されることが好ましい。
【００１０】
位置決め部材には、拡大状のストッパ部が形成され、ストッパ部は、内導管の軸方向で防水面が形成され、防水面により水流を止めるとともに、内導管により外導管を自動的に外方へ押すことが好ましい。
【００１１】
位置決め部材が弾性材料からなり、ストッパ部が外導管の内壁に当接され、外導管と内導管との間の防漏効果を得ることが好ましい。
【００１２】
外導管の螺着部には、六角ナットが配置され、六角ナットは、螺着する際の押点として用いられることが好ましい。
【００１３】
給水座には、螺着孔に連通した給水管が延設されるとともに、給水管の対称端に回転つまみが結合されていることが好ましい。
【００１４】
外導管の螺着部と給水座の螺着孔との間には、防水パッキンが挟設されていることが好ましい。
【００１５】
前記給水座には、螺着孔と同軸で縦杆体が延設され、縦杆体を地面へ挿入して給水座を立設させることが好ましい。
【考案の効果】
【００１６】
本考案は、前記の通りの構成からなるものであり、水圧の増加により、内導管が自動的に外方へ延び、散水可能な高さを引き上げ、散水範囲を拡大させることができる。また、給水を止める場合、延長した内導管が外導管に直接収納される際には、圧縮バネにより緩衝作用を受け、落下による衝撃を緩衝することができる。
【００１７】
さらに、内導管の雄ねじ部と外導管の雌ねじ部は、圧縮バネとねじ方向が異なるので螺合過程において、圧縮バネは内導管の接合部に掻き傷を発生させることがないこと等から、装置の利便性及び耐久性の点で顕著な効果を奏する。
【図面の簡単な説明】
【００１８】
【図１】図１は、本考案の一実施形態に係る自動散水装置の昇降緩衝構造を示す斜視図である。
【図２】図２は、本考案の一実施形態に係る自動散水装置の昇降緩衝構造を示す分解斜視図である。
【図３】図３は、本考案の一実施形態に係る自動散水装置の昇降緩衝構造を示す側面断面図である。
【図４】図４は、本考案の一実施形態に係る自動散水装置の昇降緩衝構造が上昇するときの状態を示す側面断面図である。
【図５】図５は、本考案の一実施形態に係る自動散水装置の昇降緩衝構造の散水ヘッドが自転するときの状態を示す模式図である。
【図６】図６は、本考案の一実施形態に係る自動散水装置の昇降緩衝構造が下降するときに生じる衝撃を緩衝するときの状態を示す模式図である。
【図７】図７は、本考案の一実施形態に係る自動散水装置の昇降緩衝構造の雌ねじ部及び雄ねじ部を締め付けるときの状態を示す模式図である。
【考案を実施するための形態】
【００１９】
以下、本考案の実施形態について図面に基づいて説明する。なお、これによって本考案が限定されるものではない。
【００２０】
まず、図１及び図２を参照する。図１及び図２に示すように、本考案の一実施形態に係る自動散水装置の昇降緩衝構造は、少なくとも内導管１０、散水ヘッド２０、連結スリーブ３０、位置決め部材４０、外導管５０及び給水座６０から構成される。
【００２１】
内導管１０は、一端に接合部１１が形成され、接合部１１と隣り合う箇所に雄ねじ部１２が形成され、他端に固定部１３が形成されている。
【００２２】
散水ヘッド２０は、内導管１０の接合部１１に接続され、水が供給されると自動的に旋回して散水を行う。散水ヘッド２０のヘッド部２１には、外方へ延びる複数の散水杆２２が延設されている。散水杆２２は、くの字形を呈し、内側及び末端に噴水孔２２１，２２２が形成されている。噴水孔２２１，２２２は、噴水角度を有するためヘッド部２１が自転する。内導管１０の接合部１１内縁には、ねじ部１１１が形成され、このねじ部１１１に散水ヘッド２０のねじ部２３が接続され、接合部１１と散水ヘッド２０との間に防漏パッキン２４が挟設される。
【００２３】
連結スリーブ３０は、固定部１３の端部を介して内導管１０に嵌合され、連結スリーブ３０の内部には、環状で内方に突設されたストップリング３１が配置されている。連結スリーブ３０の一端に設けられた開口には、雌ねじ部３２が形成されている。雌ねじ部３２には、圧縮バネ３３が内設される。圧縮バネ３３は、ストップリング３１と接合部１１との間に当接される。雌ねじ部３２は、雄ねじ部１２に螺着され、雌ねじ部３２及び雄ねじ部１２のねじ方向は、圧縮バネ３３の螺旋方向と反対であり（図７参照）、雌ねじ部３２，雄ねじ部１２の螺着過程において、圧縮バネ３３は、内導管１０の接合部１１に掻き傷を生じさせることはない。また、連結スリーブ３０は、他端の開口に形成された連結部３４を有する。
【００２４】
位置決め部材４０は、内導管１０の固定部１３に取り付けられ、内導管１０に連通する貫通孔４１を有する。位置決め部材４０の外径は、ストップリング３１の内径より大きい。位置決め部材４０には、拡大状のストッパ部４２が形成されている。ストッパ部４２は、内導管１０の軸方向で防水面４２１が形成され、防水面４２１により水流を止めるとともに、内導管１０により外導管５０を自動的に外方へ押し、位置決め部材４０が弾性材料（プラスチック又はゴム）からなり、ストッパ部４２が外導管５０の内壁に当接されるため、外導管５０と内導管１０との間の防漏効果を高めることができる。
【００２５】
外導管５０は、一端に形成された螺着部５１と、他端に形成された接続部５２と、を有する。外導管５０は、内導管１０に嵌合され、接続部５２が連結スリーブ３０の連結部３４に螺着され、位置決め部材４０がストップリング３１により止められ、内導管１０及び外導管５０の位置を拘束する。外導管５０の螺着部５１には、六角ナット５３が配置される。六角ナット５３は、螺着する際の押点として用いられ、給水座６０に開設された螺着孔６１は、外導管５０の螺着部５１を接続するために用い、給水座６０に形成された内導管１０及び外導管５０と散水ヘッド２０とを直立させる。
【００２６】
給水座６０には、螺着孔６１と同軸で縦杆体６２が延設され、縦杆体６２を地面へ挿入して給水座６０を立設させる。給水座６０には、螺着孔６１に連通した給水管６３が延設されて水の供給を行う。給水座６０には、給水管６３の対称端に回転つまみ６４が結合され、回転つまみ６４を介して水供給を行ったり止めたりする。外導管５０の螺着部５１と給水座６０の螺着孔６１との間には、防漏を行うために防水パッキン６５が挟設される。      
【００２７】
上述の構成により、水流が給水座６０、外導管５０、内導管１０を通って散水ヘッド２０に入り、噴水孔２２１，２２２の出水方向により散水ヘッド２０が自転すると、水流により位置決め部材４０の防水面４２１が押され、内導管１０が外導管５０に対して自動的に外方に延びる。これにより散水面積を広げて使用の利便性を高めることができる。
【００２８】
その構造組み合わせは、図１〜図３に示すように、内導管１０のねじ部１１１が散水ヘッド２０のねじ部２３に接続され、内導管１０の固定部１３の端部に順次、圧縮バネ３３、連結スリーブ３０が嵌合され、連結スリーブ３０の雌ねじ部３２を内導管１０の雄ねじ部１２に螺着し、ストップリング３１と接合部１１との間に圧縮バネ３３を挟設してから、位置決め部材４０を固定部１３に結合し、ストッパ部４２によりストップリング３１を止めて連結スリーブ３０が内導管１０から外れないようにする。内導管１０には、位置決め部材４０の端部が外導管５０内に挿入され、連結スリーブ３０の連結部３４には、外導管５０の接続部５２が螺着され、最終的に外導管５０の螺着部５１に給水座６０の螺着孔６１が固定されて本考案の組み立てが完了する。
【００２９】
本考案に係る自動散水装置の昇降緩衝装置を、実際に使用する際、図２〜図５に示すように、回転つまみ６４を廻して給水管６３から給水座６０へ水を供給する際、水流が外導管５０、貫通孔４１、内導管１０及び散水ヘッド２０を通り、散水ヘッド２０の噴水孔２２１，２２２を介して散水され、噴水孔２２１，２２２の噴水方向により散水ヘッド２０が自動的に旋回して散水を均一に行う。また、位置決め部材４０の防水面４２１が水圧により押されると、内導管１０が外導管５０に沿って相対的に外方へ延び、内導管１０の長さにより散水可能な高さを増大させ、散水範囲を広げることができる上、内導管１０が自動的に延びるため利便性が高い。
【００３０】
また、図６に示すように、水供給を止めると、位置決め部材４０のストッパ部４２を押す水圧が減り、内導管１０が散水ヘッド２０の重量を受けて外導管５０内に直接挿入され、内導管１０が完全に収縮される前に、内導管１０の接合部１１が連結スリーブ３０内に収納された圧縮バネ３３に当接される。これにより内導管１０が落下する際に生じる衝撃を低減させ、内導管１０が当たって損壊したり、押し潰されたりすることを防ぐ。
【００３１】
図７に示すように、内導管１０が収縮して外導管５０内に収納されると、内導管１０の雄ねじ部１２が連結スリーブ３０の雌ねじ部３２に螺着され、内導管１０と外導管５０とが固定される。さらに、雌ねじ部３２及び雄ねじ部１２は、圧縮バネ３３とねじ方向が異なり、雌ねじ部３２及び雄ねじ部１２の螺合過程において、接合部１１が圧縮バネ３３のねじ方向で旋回される。そのため、圧縮バネ３３は、内導管１０の接合部１１に掻き傷を発生させず、耐久性を高めることができる。
【００３２】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３３】
１０  内導管
１１  接合部
１２  雄ねじ部
１３  固定部
２０  散水ヘッド
２１  ヘッド部
２２  散水杆
２３  ねじ部
２４  防漏パッキン
３０  連結スリーブ
３１  ストップリング
３２  雌ねじ部
３３  圧縮バネ
３４  連結部
４０  位置決め部材
４１  貫通孔
４２  ストッパ部
５０  外導管
５１  螺着部
５２  接続部
５３  六角ナット
６０  給水座
６１  螺着孔
６２  縦杆体
６３  給水管
６４  回転つまみ
６５  防水パッキン
１１１  ねじ部
２２１  噴水孔
２２２  噴水孔
４２１  防水面
【図１】
0003184532.tif 000003
【図２】
0003184532.tif 000004
【図３】
0003184532.tif 000005
【図４】
0003184532.tif 000006
【図５】
0003184532.tif 000007
【図６】
0003184532.tif 000008
【図７】
0003184532.tif 000009